(57)【要約】【課題】複数のスイッチング制御による電源部からなる電源装置に関し、マスタ設定とスレーブ設定とを自動化する。【解決手段】交流電圧を入力し、整流した後にコンバータ部に於けるスイッチング制御により設定した電圧とし、整流平滑化して直流電圧に変換して負荷に供給する複数の電源部１−１，１−２を備えた電源装置であって、各電源部１−１，１−２は、電源スイッチＳＷ１−１，ＳＷ１−２オンによる交流電圧入力を検知してマスタに設定し、制御線２によって他の電源部にマスタ設定信号により通知し、マスタ設定後に他の電源部からのマスタ設定信号による通知によりスレーブ設定に変更するマスタ／スレーブの設定部３−１，３−２と、マスタ設定の電源部の設定基準値に従ってスレーブ設定の電源部のコンバータ部を制御する構成を備えている。【選択図】図１
2010213482.tif 000002
【特許請求の範囲】
【請求項１】
交流電圧を入力し、整流した後にコンバータ部に於けるスイッチング制御により設定した電圧とし、整流平滑化して直流電圧に変換した出力直流電圧を負荷に供給する電源部を複数備えた電源装置に於いて、
前記電源部は、前記交流電圧の入力を検知した時にマスタに設定して、他の電源部にマスタ設定信号により通知し、マスタ設定後の他の電源部からのマスタ設定信号による通知によりスレーブ設定に変更するマスタ／スレーブ設定部と、該マスタ／スレーブ設定部のマスタ設定により、自電源部の基準値に従って自電源部の前記コンバータ部を制御し、スレーブ設定により、マスタ設定の電源部からの基準値に従って自電源部の前記コンバータ部を制御する構成を備えた
ことを特徴とする電源装置。
【請求項２】
前記電源部は、コンバータ部と、該コンバータ部のスイッチング制御出力信号を整流して平滑化する出力整流平滑部と、該出力平滑部の出力電圧を基準値と比較して前記コンバータ部のスイッチング制御のオン期間を制御する制御回路部と、前記コンバータ部のスイッチング周期を制御する同期部とを備え、該同期部はマスタ／スレーブ設定部と、スイッチング周波数発振部と、ゲート回路とを含み、前記マスタ／スレーブ設定部は、交流電圧の入力を検出してマスタ設定を行い、他の電源部のマスタ／スレーブ設定部からのマスタ設定信号によりスレーブ設定に変更する構成と、マスタ設定信号により前記コンバータ部のスイッチング周波数発振部の出力のクロック信号を選択して前記コンバータ部のスイッチング周波数信号として入力するゲート回路を備えたことを特徴とする請求項１記載の電源装置。
【請求項３】
前記電源部は、コンバータ部と、該コンバータ部のスイッチング制御出力信号を整流して平滑化する出力整流平滑部と、該出力平滑部の出力電圧を基準値と比較して前記コンバータ部のスイッチング制御のオン期間を制御する制御回路部と、前記コンバータ部のスイッチング周期を制御する同期部とを備え、該同期部はマスタ／スレーブ設定部と、スイッチング周波数発振部と、ゲート回路とを含み、前記マスタ／スレーブ設定部は、交流電圧の入力を検出してマスタ設定を行い、他の電源部のマスタ／スレーブ設定部からのマスタ設定信号によりスレーブ設定に変更する構成と、マスタ設定の電源部の前記制御回路部の基準電圧を、スレーブ設定の電源部の前記制御回路に入力する基準電圧とするゲート回路とを含む構成を備えたことを特徴とする請求項１又は２記載の電源装置。
【発明の詳細な説明】
【技術分野】
【０００１】
本発明は、スイッチング制御により出力電圧や出力電流を制御可能の複数の電源部により構成した電源装置であって、複数の電源部の中の１電源部をマスタに設定し、他の電源部をスレーブに設定する設定処理を自動化し、マスタ電源部の設定内容に従った制御条件でスレーブ電源部も動作させる電源装置に関する。
【背景技術】
【０００２】
各種の動作電圧及び動作電流の負荷にそれぞれ対応した電源装置を設ける場合が一般的である。しかし、多種類の電源装置を生産する必要があり、多品種生産によるコストアップの問題がある。そこで、同一の出力容量の電源装置を生産し、負荷の条件に対応した複数の電源装置を組み合わせることが知られている。例えば、同一出力容量のスイッチング電源装置を用意し、負荷条件に対応した組合わせにより対応するもので、出力電圧が例えば１０Ｖで、出力電流が例えば１０Ａの出力容量のスイッチング電源装置を用意し、動作電圧１０Ｖで、動作電流が２０Ａの負荷に対しては、２台を並列接続することに対応可能となり、又動作電圧２０Ｖ,動作電流１０Ａの負荷に対しては、２台を直列接続することに対応可能となる。このような複数のスイッチング電源装置から同一の負荷に電力供給を行う場合、負荷分担を相互間で同一とすることも知られている。
【０００３】
又複数の電源装置を並列又は直列に接続して同一の負荷に電力供給を行う場合、負荷分担を均一化することが必要であり、同一構成のスイッチング電源装置を複数並列に接続した場合、１台のスイッチング電源装置をマスタに設定して、他のスイッチング電源装置をスレーブに設定し、マスタ設定のスイッチング電源装置からの制御信号に従ってスレーブ設定のスイッチング電源装置の出力電圧や出力電流を制御する構成が知られている。このようなマスタ、スレーブの設定は、設置台数が多くなるに従って煩雑な作業となる。そこで、同一構成のスイッチング電源装置に、基準電圧を自装置で使用するか、他装置の基準電圧を使用するか、即ち、マスタ設定とするかスレーブ設定とするかを、コネクタに挿入して相互間を接続するケーブルの両端のプラグ接続構成により簡単に設定可能とした構成が提案されている（例えば、引用文献１参照）。
【先行技術文献】
【特許文献】
【０００４】
【特許文献１】特開２００１−３３７７２７号公報
【発明の概要】
【発明が解決しようとする課題】
【０００５】
複数のスイッチング電源装置から共通の負荷に電力を供給する場合、その中の１装置をマスタに設定し、他装置をスレーブに設定する為に、装置毎に手動で設定作業を行うことは、作業が煩雑となると共に、マスタ、スレーブの設定誤りが発生する問題がある。これに対して、前述の特許文献１に開示された従来例の技術は、コネクタ接続により、簡単且つ設定誤りを回避してマスタ、スレーブ設定を行うことが可能となる。又負荷の消費電力増大に伴ってスイッチング電源装置を増設する必要が発生した場合、この増設装置のコネクタ接続構成は総てスレーブ設定となる構成である。その為に、マスタを変更する必要が発生すると、コネクタ接続を変更することになる。従って、マスタ、スレーブの設定変更は比較的煩雑となる問題がある。
【０００６】
本発明は、スイッチング制御による電源部を複数備え、その中の１台の電源部をマスタに設定し、他の電源部をスレーブに設定する処理を自動的に行い、且つマスタの変更も容易とすることを目的とする。
【課題を解決するための手段】
【０００７】
本発明の電源装置は、交流電圧を入力し、整流した後にコンバータ部に於けるスイッチング制御により設定した電圧とし、整流平滑化して直流電圧に変換した出力直流電圧を負荷に供給する電源部を複数備えた電源装置であって、前記電源部は、交流電圧の入力を検知した時にマスタに設定して、他の電源部にマスタ設定信号により通知し、マスタ設定後の他の電源部からのマスタ設定信号による通知によりスレーブ設定に変更するマスタ／スレーブ設定部と、このマスタ／スレーブ設定部のマスタ設定により、自電源部の基準値に従って自電源部のコンバータ部を制御し、スレーブ設定により、マスタ設定の電源部からの基準値に従って電源部のコンバータ部を制御する構成を備えている。
【０００８】
又電源装置は、コンバータ部と、このコンバータ部のスイッチング制御出力信号を整流して平滑化する出力整流平滑部と、この出力平滑部の出力電圧を基準値と比較して、コンバータ部のスイッチング制御のオン期間を制御する制御回路部と、コンバータ部のスイッチング周期を制御する同期部とを備え、この同期部はマスタ／スレーブ設定部と、スイッチング周波数発振部と、ゲート回路とを含み、マスタ／スレーブ設定部は、交流電圧の入力を検出してマスタ設定を行い、他の電源部のマスタ／スレーブ設定部からのマスタ設定信号によりスレーブ設定に変更する構成と、マスタ設定信号により、コンバータ部のスイッチング周波数発振部の出力のクロック信号を選択して、コンバータ部のスイッチング周波数信号として入力するゲート回路を備えている。
【０００９】
又電源部は、コンバータ部と、このコンバータ部のスイッチング制御出力信号を整流して平滑化する出力整流平滑部と、この出力平滑部の出力電圧を基準値と比較して、コンバータ部のスイッチング制御のオン期間を制御する制御回路部と、コンバータ部のスイッチング周期を制御する同期部とを備え、この同期部は、マスタ／スレーブ設定部と、スイッチング周波数発振部と、ゲート回路とを含み、マスタ／スレーブ設定部は、交流電圧の入力を検出してマスタ設定を行い、他の電源部のマスタ／スレーブ設定部からのマスタ設定信号によりスレーブ設定に変更する構成と、マスタ設定の電源部の制御回路部の基準電圧を、スレーブ設定の電源部の制御回路に入力する基準電圧とするゲート回路とを含む構成を備えている。
【発明の効果】
【００１０】
複数の電源部の出力直流電圧を共通の負荷に供給する電源装置に於いて、複数の電源部の中の１電源部をマスタに設定し、他の電源部をスレーブに設定し、マスタ設定の電源部の基準値に従って全電源部のコンバータ部のスイッチング制御を、同一の基準電圧や基準クロック信号に従って制御すると共に、マスタ設定とスレーブ設定とを、電源部の入力交流電圧を入力するオン条件に従って行うことにより、例えば、最適条件に設定した電源部を接続して既存の電源部と並列関係に接続して、交流電圧を入力する為の電源スイッチをオンとするだけで、マスタ／スレーブの関係の設定を自動的に行うことが可能となり、多数の電源部の場合でも誤りなく、マスタ／スレーブの設定が可能となる。
【図面の簡単な説明】
【００１１】
【図１】本発明の実施例１の要部説明図である。
【図２】本発明の実施例１の要部フローチャートである。
【図３】本発明の実施例２の要部説明図である。
【図４】本発明の実施例３の要部説明図である。
【図５】本発明の実施例４の説明図である。
【図６】本発明の実施例４のフローチャートである。
【図７】本発明の実施例５の説明図である。
【図８】本発明の実施例５のフローチャートである。
【発明を実施するための形態】
【００１２】
本発明の電源装置は、図１を参照して説明すると、交流電圧を入力し、整流した後にコンバータ部に於けるスイッチング制御により設定した電圧とし、整流平滑化して直流電圧に変換した出力直流電圧を負荷に供給する複数の電源部１−１，１−２を備えた電源装置であって、各電源部１−１，１−２は、電源スイッチＳＷ１−１，ＳＷ１−２をオンとして交流電圧の入力を検知した時にマスタに設定し、制御線２によって他の電源部にマスタ設定信号により通知し、マスタ設定後の他の電源部からのマスタ設定信号による通知によりスレーブ設定に変更するマスタ／スレーブの設定部３−１，３−２と、このマスタ／スレーブ設定部３−１，３−２の何れかのマスタ設定の電源部の基準値に従ってスレーブ設定の電源部のコンバータ部を制御する構成を備えている。
【実施例１】
【００１３】
図１は、本発明の実施例１の要部説明図であり、１−１，１−２はスイッチング制御により出力電圧及び出力電流を制御可能の電源部、２は制御線、３−１，３−２は設定部、ＳＷ１−１，ＳＷ１−２は電源スイッチを示す。電源部１−１，１−２間を制御線２により接続し、商用交流電圧を入力して、電源部１−１，１−２内部で整流するか、又は商用交流電圧を整流して入力する。又電源部１−１，１−２は、入力された電力により内部のスイッチング制御を行う為の電源スイッチＳＷ１−１，ＳＷ１−２をオンした状態か否かを、制御線２を介して相互に認識可能の構成とする。即ち、電源スイッチをオンとすることにより通電状態となるから、この通電状態となったことを電源部１−１，１−２間で制御線２により確認可能とする。そして、先に電源オンした電源部の通電状態を、その後に電源オンとした電源部が確認して、後で電源オンとした電源部の設定部にマスタＭＳＴを設定し、先に電源オンとした電源部の設定部は、マスタＭＳＴ設定であっても、スレーブＳＬＶ設定とする。そして、スレーブＳＬＶ設定の電源部は、マスタＭＳＴ設定の電源部のスイッチング制御の基準値を基に、スイッチング制御を行って、電源部１−１，１−２から図示を省略した同一の負荷に出力直流電圧を供給する。
【００１４】
このように、２台の電源部１−１，１−２の中の先に電源スイッチオンの電源部をスレーブＳＬＶ設定、後で電源スイッチオンの電源部をマスタＭＳＴ設定とするもので、マスタＭＳＴ設定とスレーブＳＬＶ設定とを、電源スイッチをオンとする時間的な順序に従って、自動的に行うことができる。そして、負荷の消費電力増加等に伴って更に１台の電源部を並列運転するように接続し、制御線を相互に接続して電源オンとすると、新たに接続して電源オンとした電源部がマスタＭＳＴ設定、既にマスタＭＳＴ、スレーブＳＬＶ設定の他の電源部１−１，１−２が総てスレーブＳＬＶ設定となり、マスタＭＳＴ設定の新たな電源部の出力基準電圧やスイッチング周波数等の基準値に従ったスイッチング制御動作条件により、他のスレーブ設定の電源部１−１，１−２がスイッチング制御動作を行って、同一負荷に電力供給を行うことになる。
【００１５】
前述の電源部１−１，１−２のマスタＭＳＴ、スレーブＳＬＶの設定の要部フローチャートを図２に示す。例えば、電源部１−１の電源スイッチＳＷ１−１をオンとすると（Ｓ１）、他の電源部１−２が電源オンによる通電状態か否かを、制御線２を介して確認する（Ｓ２）。電源部１−２が電源スイッチＳＷ１−２を先にオンとした状態であると、電源部１−１は設定部３−１にマスタＭＳＴを設定し、電源部１−２は、電源部１−１がマスタＭＳＴ設定の状態を、制御線２を介して識別し、マスタＭＳＴ設定からスレーブＳＬＶ設定に更新する（Ｓ３）。又電源部１−２が電源スイッチＳＷ１−２をオフとしている状態の場合、電源部１−１は設定部３−１にスレーブＳＬＶを設定とする（Ｓ４）。なお、この場合は、単独の電源部１−１の動作であるから、スレーブＳＬＶ設定でもマスタＭＳＴ設定でも、自装置のみで、負荷への電源供給を行うことができる。又各電源部は、制御線を介して他の電源部の電源スイッチのオンかオフかを監視するもので、電源部１−１が電源オンの状態の時に、電源部１−２が電源オフの状態から電源オンの状態に遷移すると、電源部１−２はマスタＭＳＴ設定とする（Ｓ５）。この時、電源部１−２の電源オンによるマスタＭＳＴ設定を電源部１−１が制御線２を介して認識し、電源部１−１はスレーブＳＬＶ設定とする。即ち、各種の新しい制御条件を設定した電源部の電源オンにより、この新しい電源部をマスタに設定し、他の電源部をスレーブに設定して、同一負荷に対して、マスタＭＳＴ設定の電源部のスイッチング動作条件に従って、他の電源部のスイッチング制御が行われる。
【実施例２】
【００１６】
図３は、本発明の実施例２の要部説明図であり、図１と同一符号は同一名称部分を示し、１−３は電源部、３−３は設定部、４は制御信号線を示す。この実施例２は、電源部１−１は基準電圧を例えば５Ｖ、電源部１−２，１−３は基準電圧を例えば３．３Ｖとしている場合、電源部１−２，１−３の電源スイッチＳＷ１−２，ＳＷ１−３をオンとし、電源部１−１の電源スイッチＳＷ１−１を次にオンとすると、電源部１−１の設定部３−１にマスタ設定、電源部１−２，１−３の設定部３−２，３−３にスレーブ設定を行うことになり、マスタ設定の電源部１−１の基準電圧５Ｖにより、スレーブ設定の電源部１−２，１−３がスイッチング動作を行って、電源部１−１，１−２，１−３から同一の基準電圧に基づいたスイッチング制御により同一の出力電圧とし、図示を省略した出力端子を並列接続して負荷に電力を供給することができる。又電源部１−２の電源スイッチＳＷ１−２を、電源部１−１，１−３の電源スイッチＳＷ１−１，ＳＷ１−３より後でオンとすると、電源部１−２がマスタ設定、電源部１−１，１−３がスレーブ設定となって、マスタ設定の電源部１−２と共に、基準電圧３．３Ｖに従って、スレーブ設定の電源部１−１，１−３のスイッチング動作を行い、３台の電源部１−１，１−２，１−３の並列運転によって、基準電圧５Ｖの場合より低い出力電圧をそれぞれ出力し、図示を省略した負荷に電力を供給することができる。
【実施例３】
【００１７】
図４は、本発明の実施例３の要部説明図であり、図１と同一符号は同一名称部分を示す。この実施例３は、制御信号線４によりスイッチング周波数を決定する制御信号を伝送する場合を示し、前述のように、電源オンの時間順序に従って後に電源オンとした電源部をマスタに設定し、先に電源オンとした電源部をスレーブに設定するもので、電源部１−２の電源スイッチＳＷ１−２をオンした後で、電源部１−１の電源スイッチＳＷ１−１をオンとすると、電源部１−１がマスタ設定となり、このマスタ設定の電源部１−１の例えばスイッチング周波数１００ｋＨｚの制御信号を、制御信号線４によりスレーブ設定の電源部１−２に送出し、電源部１−１，１−２はそれぞれ１００ｋＨｚのスイッチング周波数でスイッチング制御を行うことになる。又電源オンを後で行った電源部１−２をマスタ設定、電源オンを先に行った電源部１−１をスレーブ設定とした場合、制御信号線４によりスイッチング周波数１２０ｋＨｚの制御信号を、電源部１−２から電源部１−１に送出し、それぞれ１２０ｋＨｚのスイッチング周波数でスイッチング制御を行うことになる。
【実施例４】
【００１８】
図５は、本発明の実施例４の説明図であり、ＡＣ１，ＡＣ２は１００Ｖ又は２００Ｖの交流電源、ＳＷ１，ＳＷ２は電源スイッチ、１０，２０は電源部、１１，２１はノイズフィルタ、１２，２２は入力整流平滑部、１３，２３はコンバータ部、１４，２４は出力整流平滑部、１５，２５は同期部、１６，２６は制御回路部、１７，２７はマスタＭＳＴとスレーブＳＬＶとの何れかに設定するＭＳＴ／ＳＬＶ設定部、１８，２８は基準電圧出力部、Ｇ１１，Ｇ１２，Ｇ２１，Ｇ２２はアンドゲート、Ｇ１３，Ｇ２３はオアゲート、ＯＵＴ１，ＯＵＴ２は出力端子、Ｌ１，Ｌ１１，Ｌ１２は制御線、Ｌ２は制御信号線を示す。なお、出力端子ＯＵＴ１，ＯＵＴ２からの出力直流電圧を供給する負荷及びコンバータ部１３，２３のスイッチング制御を行う為に供給するスイッチングクロックの発生手段は図示を省略している。このスイッチングクロック発生手段は、既に知られている各種のスイッチング電源装置に於ける発振手段を適用することができる。
【００１９】
交流電源ＡＣ１，ＡＣ２は同一の商用交流電源又は異なる変電所等による交流電源を示し、電源スイッチＳＷ１，ＳＷ２をオンとすると、各電源部１０，２０のノイズフィルタ１１，２１を介して入力整流平滑部１２，２２により直流電圧に変換して平滑化し、コンバータ部１３，２３に入力し、スイッチングクロックに従った周期でスイッチング制御し、制御回路１６，２６により、出力直流電圧を検出した検出電圧と基準電圧とを比較し、その差分に応じてスイッチング制御によるオン期間を制御し、基準電圧に対応した出力直流電圧となるように、コンバータ部１３，２３に於けるスイッチング制御を行い、出力整流平滑部１４，２４により整流して平滑化し、出力端子ＯＵＴ１、ＯＵＴ２から共通の負荷（図示を省略）へ出力直流電圧を供給する。又同期部１５，２５は、ＭＳＴ／ＳＬＶ設定部１７，２７と基準電圧出力部１８，２８と、アンドゲートＧ１１，Ｇ１２，Ｇ２１，Ｇ２２及びオアゲートＧ１３，Ｇ２３とを含む構成を有し、制御線Ｌ１（Ｌ１１，Ｌ１２）と制御信号線Ｌ２とにより同期部１５，２５相互間を接続する。又制御信号線Ｌ２によりそれぞれの基準電圧出力部１８，２８からの基準電圧を通知する。
【００２０】
同期部１５，２５のＭＳＴ／ＳＬＶ設定部１７，２７は、電源スイッチＳＷ１，ＳＷ２オンによりノイズフィルタ１１，２１に入力される交流電圧を検知した入力検知信号によりセットしてマスタＭＳＴ設定として、制御線Ｌ１２にマスタＭＳＴ設定を示す論理ハイレベル（Ｈ）の信号を送出し、制御線Ｌ１１に電源通電時を示す論理ハイレベル（Ｈ）の信号を送出する。このＭＳＴ／ＳＬＶ設定部１７，２７は、電源スイッチＳＷ１，ＳＷ２をオンとした時間順序に従ってマスタＭＳＴ設定又はスレーブＳＬＶ設定となるもので、例えば電源スイッチＳＷ２を先にオンとすると、ＭＳＴ／ＳＬＶ設定部２７が先ずマスタＭＳＴ設定となり、制御線Ｌ１２に、マスタＭＳＴ設定を示すハイレベル（Ｈ）のＭＳＴ／ＳＬＶ設定信号を送出し、制御線Ｌ１１に、電源通電時を示す論理ハイレベル（Ｈ）の信号を送出する。この状態に於いては、同期部２５のアンドゲートＧ２１とオアゲートＧ２３を介して、基準電圧出力部２８からの３．３Ｖの基準電圧が制御回路部２６に入力される。
【００２１】
次に、電源スイッチＳＷ１をオンとすると、電源部１０のＭＳＴ／ＳＬＶ設定部１７は、入力検知信号によりマスタＭＳＴ設定とし、制御線Ｌ１１により通電検出時を示す論理ハイレベル（Ｈ）の信号を送出し、制御線Ｌ１２によりマスタＭＳＴ設定を示す論理ハイレベル（Ｈ）のＭＳＴ／ＳＬＶ設定信号を送出する。この時、電源部２０のＭＳＴ／ＳＬＶ設定部２７は、電源部１０のＭＳＴ／ＳＬＶ設定部１７からの論理ハイレベル（Ｈ）の通電検出信号を、制御線Ｌ１１を介して入力されるから、スレーブＳＬＶ設定に変更し、制御線Ｌ１２に論理ローレベル（Ｌ）のＭＳＴ／ＳＬＶ設定信号を送出する。この状態となると、一方のＭＳＴ／ＳＬＶ設定部１７はマスタＭＳＴ設定、他方のＭＳＴ／ＳＬＶ設定部２７はスレーブＳＬＶ設定となり、制御信号線Ｌ２による基準電圧は、基準電圧出力部１８からの５Ｖの基準電圧が、アンドゲートＧ１１とオアゲートＧ１３とを介して制御回路部１６の基準電圧として入力され、又電源部２０のアンドゲートＧ２２とオアゲートＧ２３とを介して制御回路部２６の基準電圧として入力され、電源部１０，２０は同一の基準電圧によるスイッチング制御によって同一の出力直流電圧とし、図示を省略した負荷に供給することができる。従って、ＭＳＴ／ＳＬＶ設定部１７，２７は、例えば、入力検知信号によってセットされ、その後に入力される論理ハイレベル（Ｈ）のＭＳＴ／ＳＬＶ設定信号によってリセットされるフリップフロップやゲート回路等からなる論理回路、又はプロセッサによるソフトウェア制御等の設定制御御手段により実現することができる。又基準電圧出力部１８，２８の基準電圧５Ｖ，３．３Ｖは一例を示すもので、他の基準電圧とすることも可能である。
【００２２】
図６は、図５に示す前述の実施例４の動作をステップ（Ａ１）〜（Ａ９）により示すフローチャートであり、電源部１０の電源スイッチＳＷ１をＯＮ（Ａ１）とし、入力検知信号をＭＳＴ／ＳＬＶ設定部１７により検出し（Ａ２）、ＭＳＴ／ＳＬＶ設定部１７は電源部２０の通電状態の確認を行う（Ａ３）。制御線Ｌ１１により電源部２０から通知される電源通電信号は論理ハイレベル（Ｈ）の場合、即ち、電源部２０が既に通電状態の場合、ＭＳＴ／ＳＬＶ設定部１７はマスタＭＳＴ設定とし、ＭＳＴ／ＳＬＶ設定信号を論理ハイレベル（Ｈ）とし（Ａ８）、電源部１０はマスタＭＳＴ設定により基準電圧５Ｖで動作開始し、電源部２０はスレーブＳＬＶ設定により、電源部１０の基準電圧の５Ｖを基準電圧として動作を開始する（Ａ９）。
【００２３】
又ステップ（Ａ３）に於いて、制御線Ｌ１１により電源部２０から通知される電源通電信号が論理ローレベル（Ｌ）（電源部２０の電源スイッチＳＷ２はオフ）の場合、電源部２０からＭＳＴ／ＳＬＶ設定信号を制御線Ｌ１１に送出可能の場合は、その設定信号を論理ローレベル（Ｌ）とする（Ａ４）。そして、ＭＳＴ／ＳＬＶ設定部１７は、電源部２０から制御線Ｌ１１による電源通電信号を基に、電源部２０の通電状態を監視し（Ａ５）、この電源通電信号が論理ハイレベル（Ｈ）となると、電源部２０では、電源部１０より時間的に後で電源スイッチＳＷ２をオンとしたことにより、ＭＳＴ／ＳＬＶ設定部２７にマスタＭＳＴ設定を行うから、制御線Ｌ１２によるＭＳＴ／ＳＬＶ設定信号は論理ハイレベル（Ｈ）とし（Ａ６）、電源部１０はスレーブＳＬＶ設定により基準電圧３．３Ｖでスイッチング制御を行い、電源部２０はマスタＭＳＴ設定により基準電圧３．３Ｖでスイッチング制御を行う。
【実施例５】
【００２４】
図７は、本発明の実施例５の説明図であり、図５と同一符号は同一名称部分を示し、１５Ａ、２５Ｂは同期部、１６Ａ，２６Ｂは制御回路部、１８Ａ，２８Ｂはスイッチング周波数発振部を示す。同期部１５Ａ，２５ＢのＭＳＴ／ＳＬＶ設定部１７，２７は、図５に示す構成及び機能と同一であり、重複する説明は省略するが、時間的に後に電源スイッチをオンとした電源部がマスタＭＳＴ設定となり、先に電源スイッチをオンとした電源部はスレーブＳＬＶ設定に変更する。又同期部１５Ａのスイッチング周波数発振部１８Ａは、１００ｋＨｚの発振部、同期部２５Ｂのスイッチング周波数発振部２８Ｂは、１２０ｋＨｚの発振部の場合を示し、マスタＭＳＴ設定の電源部のスイッチング周波数が選択されて、コンバータ部１３，２３に於けるスイッチング周波数となる。これらのスイッチング周波数は、一例を示すもので、他のスイッチング周波数を選択設定することも可能である。
【００２５】
図８は、本発明の実施例５の動作をステップ（Ｂ１）〜（Ｂ９）により示すもので、図６に示すステップ（Ａ１）〜（Ａ９）と対応した処理ステップで、殆ど同じく、電源スイッチＳＷ１，ＳＷ２を先にオンした電源部がスレーブＳＬＶ設定、後にオンした電源部がマスタＭＳＴ設定とする処理動作を行うものであり、重複した説明は省略する。例えば、ステップ（Ｂ１）〜（Ｂ６）を経由したステップ（Ｂ７）に於いては、電源部１０がスレーブＳＬＶ設定により、電源部２０からの１２０ｋＨｚのスイッチング周波数のクロック信号により、コンバータ部１３のスイッチング動作を行い、電源部２０がマスタＭＳＴ設定により、自スイッチング周波数発振部２８Ｂからの１２０ｋＨｚのスイッチング周波数のクロック信号により、コンバータ部２３に於けるスイッチング動作を行う。又ステップ（Ｂ１）〜（Ｂ３）−（Ｂ８）を経由したステップ（Ｂ９）に於いては、電源部１０がマスタＭＳＴ設定により、自スイッチング周波数発振部１８Ａからの１００ｋＨｚのスイッチング周波数のクロック信号により、コンバータ部１３のスイッチング動作を行い、電源部２０はスレーブＳＬＶ設定により、電源部１０からの１００ｋＨｚのスイッチング周波数のクロック信号により、コンバータ部２３のスイッチング動作を行うことになる。即ち、複数の電源部の中で、時間的に後に電源スイッチをオンとした電源部が自動的にマスタＭＳＴ設定、他の電源部は総てスレーブＳＬＶ設定となる。
【符号の説明】
【００２６】
１−１，１−２  電源部
２  制御線
３−１，３−２  設定部
ＳＷ１−１，ＳＷ１−２  電源スイッチ
【図１】
2010213482.tif 000003
【図２】
2010213482.tif 000004
【図３】
2010213482.tif 000005
【図４】
2010213482.tif 000006
【図５】
2010213482.tif 000007
【図６】
2010213482.tif 000008
【図７】
2010213482.tif 000009
【図８】
2010213482.tif 000010